(57)【特許請求の範囲】
【請求項１】
ブラケットの本体（２）がカーテンレール（３）を支持したときに上方と前方から見える前記本体の部分を略すべて覆う硬質合成樹脂製成形品の上カバー（１）を前記本体に脱着自在に取り付けたカーテンレール用ブラケットであって、前記上カバーは上板部（１１）と左右の側板部（１２）とからなる半殻体であり、下から見ると、前記本体の底部（２２）が見えることを特徴とするカーテンレール用ブラケット。
【請求項２】
上カバー（１）の左右の側板部（１２）の下縁に内方に折れる爪部（１３）を一体に形成し、前記爪部の左右の間隙を本体（２）の底部（２２）の左右幅より少し狭くしたことを特徴とする請求項１記載のカーテンレール用ブラケット。
【請求項３】
本体（２）のカーテンレール（３）を脱着させる突起（２４）を上カバー（１）の下から突出させて、前記上カバーを前記本体に取り付けたまま前記カーテンレールを前記本体に脱着可能としたことを特徴とする請求項１又は２に記載のカーテンレール用ブラケット。
【請求項４】
ブラケットの本体（２）がカーテンレール（３）を支持したときに上方と前方から見える前記本体の部分を略すべて覆う硬質合成樹脂製成形品の上カバー（１）を前記本体に脱着自在に取り付けたカーテンレール用ブラケットであって、前記上カバーは上板部（１１）と左右の側板部（１２）とからなる半殻体であり、前記上カバーの左右の一方の前記側板部の下縁に前記本体（２）の底部（２２）をすっぽり下から覆う下カバー（１４）を回動可能に接続し、前記下カバーの他側と他方の側板部の下縁に相互に弾性的に脱着可能な係合部（１７、１８）を設けたことを特徴とするカーテンレール用ブラケット。
【請求項５】
上カバー（１）の左右の一方の側板部（１２）の下縁に薄肉部（１６）を介して下カバー（１４）の一側を接続したことを特徴とする請求項４記載のカーテンレール用ブラケット。
【請求項６】
上カバー（１）の左右の側板部（１２）にカーテンレール（３）を脱着するために必要な切欠き（１５）を設けたことを特徴とする請求項１ないし５のいずれか１つに記載のカーテンレール用ブラケット。
【発明の詳細な説明】
【０００１】
【発明の属する技術分野】
本発明はカーテンレール用ブラケットに関する。
【０００２】
【従来の技術】
カーテンレール用ブラケットはプレス加工された金属製品であり、カーテンレール等に色調を合わせるためには、塗装を施さなければならなかった。又、インテリアと外観を調和させるためには、プレス加工の金型を変更しなければならなかった。
【０００３】
【発明が解決しようとする課題】
ブラケットに塗装を施したり、プレス加工の金型を変更したりすることは、コストを増大させるという問題があった。
本発明はこの問題を解決するためになされたものであり、その課題は、塗装を施したり、金型を変えたりしなくても、色調をカーテンレール等に合わせることも、外観をインテリアに調和させることもできるカーテンレール用ブラケットを提供することにある。
【０００４】
【課題を解決するための手段】
前記課題を達成するため、本発明が採用する手段は、カーテンレールを支持したブラケットの金属製品本体の少なくとも上と前から見える部分を略すべて覆う上カバーを本体に脱着自在に取り付けたことにある。
上カバーは本体の前方と上方をすっぽり覆う上板部と本体の左右を覆う側板部とからなり、壁面とカーテンレールの後面により上カバーの前後位置を規定する。
残る本体の下側を覆う下カバーは上カバーにヒンジ止めすることが望ましい。
【０００５】
下カバーを設けないときは、上カバーの左右側板の下縁に内向きの爪部を設け、左右の爪部の間隙を本体底面の外幅よりわずかに小さくし、上からワンタッチで弾性的に取り付けることが可能であり、一度取り付けると、この爪部により上カバーが上に持ち上げられて本体から外れないようにすることが望ましい。
カーテンレールを本体に脱着させる本体の突起を上カバーの下面よりも下方に延長し、上カバーを取り付けたまま突起を操作してカーテンレールを本体に脱着することができるようにすることが好ましい。
【０００６】
下カバーを設けるときは、下カバーの左右の一方の側板部を上カバーにヒンジ止めし、他方の側板部を上カバーに脱着可能に掛け止めし、上下カバーがブラケットから外れないようにする。上下のカバーは弾性を有する合成樹脂成形品とし、その色調はカーテンレールの色調と同じものを、形状はインテリアと調和するものをそれぞれ多種類用意しておくことが好ましい。
【０００７】
【発明の実施の形態】
本発明を図面に示す実施例に基づいて説明する。
第１実施例は図１及び図２の平面図及び正面図に示すように、上面及び前面から見ると、硬質合成樹脂成形品の上カバー１の上板部１１とカーテンレール３が見えるだけであり、本体はほとんど見えない。又、図３の側面図に示すように、側面から見ると、主に見えるのは上カバー１の側板部１２とカーテンレール３であり、本体２はわずかに上カバー１の下から突出する突起２４とカーテンレール３内にある支持部２１が見えるだけである。しかし、図４の底面図に示すように、下から見ると、上カバー１とカーテンレール３により三方を囲まれた本体２の底部２２がよく見える。又、図５の背面図に示すように、背面から見ると、上カバー１の上板部１１と左右の側板部１２に囲まれた本体２の背面部２３がよく見える。
【０００８】
図４及び図５に示すように、上カバー１は本体２に上からすっぽりとかぶさり、両側板部１２は本体２の突起２４を除く底部２２より少し長く垂下し、そこから内側に折れて爪部１３を形成する。左右の爪部１３の間隙は底部２２の左右幅よりもわずかに小さいので、上カバー１を本体２にかぶせるときは、爪部１３が本体２の底部２２より下がるまで、左右の側板部１２は少し弾性的に開く。しかし、上カバー１を本体２にかぶせきると、パチンと音がして爪部１３は元に戻るから、上カバー１を持ち上げる力が作用しても爪部１３が上カバー１の本体２からの外れを防止する。
【０００９】
上カバー１は図６の縦断面図に示すように、上板部１１とその左右の側板部１２からなり、底面と背面が開放する半殻体である。上カバー１はブラケットの本体２がカーテンレール３支持する前であれば、上方と前方の２方向のいずれからでも本体２に取り付けることができるので、ブラケットの位置が天井近くであっても上カバー１を本体２にかぶせることができる。しかし、本体２がカーテンレール３を支持した後は、上方からしか取り付けることはできない。
【００１０】
本体２の突起２４はカーテンレール３を本体２に脱着するときに操作するものであり、この突起２４は上カバー２から下方に突出するので、上カバー１を本体２に取り付けたままの状態でカーテンレール３を自由に脱着することができる。本体２に取り付けた上カバー１は前後位置を壁面とカーテンレール３により規制され、上下位置は上板部１１と爪部１３により規制されるから、姿勢は安定する。
【００１１】
上カバー１は金属製の本体２とは異なり、安価に製造することが可能であるから、ブラケットが支持する各種のカーテンレールとインテリアに合わせて多種類の色調と形状の上カバーをあらかじめ用意しておけば、ユーザーの要望する色調と意匠のものを即納することができる。
【００１２】
【実施例】
図７に側面図を示す第２実施例は本体２が２本のカーテンレール３を支持するブラケットであり、第１実施例と同様に側面からは主として上カバー１とカーテンレール３が見え、本体２は２つの突起２４と支持部２１が見えるだけである。側板部１２は上カバー１の外れを防止する爪部１３を２個前後に有する。又、各側板部１２の中央に後方のカーテンレール３を脱着するために必要な切欠き１５を有する。上記以外の構成及び効果は第１実施例と同じである。
【００１３】
図８の底面図に示すように、第３実施例は下から見ると、カーテンレール３と下カバー１４が見えるだけで、ブラケットの本体は全く見えない。この第３実施例の下カバー１４は、前記実施例の爪部１３に代わるものであり、図９の側面図及び図１０の背面図に示すように、本体２の突起２４を含む底面部２２を下から覆う曲板体である。下カバー１４は左右の一側において、薄肉部１６を介して上カバー１の一側の側板部１２と連結し、薄肉部１６を中心に少なくとも半回転することができる。下カバー１４は他側に凸部１７を有し、この凸部１７は上カバー１の他側の側板部１２に設けた凹部１８に弾性的に脱着可能に嵌合する。第３実施例の上記以外の構成及び効果は第１実施例のものと同じである。
【００１４】
【発明の効果】
上記のとおり、本発明のブラケットは、色調も外観も変更することが困難な金属板製の本体に、安価に製造できる合成樹脂製の上カバーを取り付け、少なくとも上方及び前方からは上カバーとカーテンレールのみが見え、本体は固定用ねじを含めほとんど見えなくなるから、上カバーの色調を含む意匠をカーテンレールとインテリアに合わせてブラケット全体の意匠性を容易に向上することができるという効果を奏する。又、この上カバーはカーテンレールを本体が支持する前であれば、前方からも本体に取り付けることができるから、ブラケットが天井に接する位置にあっても使用することができる。
【図面の簡単な説明】
【図１】本発明のブラケットの一実施例の平面図、
【図２】第１実施例の正面図、
【図３】第１実施例の側面図、
【図４】第１実施例の底面図、
【図５】第１実施例の背面図、
【図６】第１実施例の上カバーの縦断面図、
【図７】第２実施例の側面図、
【図８】第３実施例の側面図、
【図９】第３実施例の底面図、
【図１０】第３実施例の背面図、
【符号の説明】
１：上カバー
２：本体
３：カーテンレール
１１：上板部
１２：側板部
１３：爪部
１４：下カバー
１５：切欠き
１６：薄肉部
１７：凸部
１８：凹部
２１：支持部
２２：底部
２３：背面部
２４：突起
【図１】
0003978697.tif 000002
【図２】
0003978697.tif 000003
【図３】
0003978697.tif 000004
【図４】
0003978697.tif 000005
【図５】
0003978697.tif 000006
【図６】
0003978697.tif 000007
【図７】
0003978697.tif 000008
【図８】
0003978697.tif 000009
【図９】
0003978697.tif 000010
【図１０】
0003978697.tif 000011